(57)【要約】【課題】簡易な構成により外枠を形成する縦桟の変形を防止して平面視形状を確実に維持でき、棚部内への苗箱の出し入作業をスムーズに行い得たり、縦桟と横桟及び翼板がユニット化される場合であっても、組み立て後の縦桟の平面視形状を簡単かつ確実に維持し得る苗箱収納棚を提供する。【解決手段】少なくとも平面視で方形状の四隅に垂直状態でそれぞれ立設された縦桟と、該縦桟の苗箱の出し入れ方向である前後方向の対向面にその端部が固定された横桟と、縦桟のうち前後方向と直交する左右幅方向の縦桟の上下端部をそれぞれ連結する連結部材と、縦桟及びまたは横桟の左右幅方向の対向面側にそれぞれ固定されて苗箱の底面両端部が載置可能な棚部を形成する長尺状の翼板と、縦桟のうち略対角線上に位置する少なくとも一対の縦桟の上端部分を連結する補強部材と、を備えることを特徴とする。【選択図】  図１
2013094070.tif 000002
【特許請求の範囲】
【請求項１】
少なくとも平面視で方形状の四隅に垂直状態でそれぞれ立設された縦桟と、該縦桟の苗箱の出し入れ方向である前後方向の対向面にその端部が固定された横桟と、前記縦桟のうち前後方向と直交する左右幅方向の縦桟の上下端部をそれぞれ連結する連結部材と、前記縦桟及びまたは横桟の左右幅方向の対向面側にそれぞれ固定されて前記苗箱の底面両端部が載置可能な棚部を形成する長尺状の翼板と、前記縦桟のうち略対角線上に位置する少なくとも一対の縦桟の上端部分を連結する補強部材と、を備えることを特徴とする苗箱収納棚。
【請求項２】
前記補強部材は、前記縦桟の上端部分に固定した嵌合部材に着脱可能に嵌合することを特徴とする請求項１に記載の苗箱収納棚。
【請求項３】
前記縦桟と横桟及び翼板がアルミニウム材で形成されると共に、前記前後一対の縦桟とこれに対応した横桟及び翼板が、予め溶接固定されることにより一体化されてユニット化され、該ユニットの所定の縦桟の上端部分に前記嵌合部材が溶接固定されていることを特徴とする請求項１または２に記載の苗箱収納棚。
【発明の詳細な説明】
【技術分野】
【０００１】
本発明は、ビニールハウス等の温室で育成した稲や各種野菜の苗箱が収納されて、例えば温室等から田圃や畑に移動する際に軽トラック等の運搬車の荷台に搭載されて使用される苗箱収納棚に関する。
【背景技術】
【０００２】
従来、この種の苗箱収納棚としては、例えば特許文献１に開示されている。この苗箱収納棚は、左右幅方向両端部及びその中間にそれぞれ位置する前後一対の３組の縦桟と、この各縦桟のうち前後方向に対向する縦桟の対向面側に、上下方向に所定間隔で固定されると共に、その左右幅方向の対向面間に棚部を形成する翼板がそれぞれ固定された複数本の横桟と、前記前後３組の縦桟の上下端部をそれぞれ連結する一対２組（合計４本）の連結部材等を有している。そして、左右幅方向に対向する横桟等に固定した一対の翼板で形成される二列の棚部内に、苗箱が収納もしくは引き出し（出し入れ）可能となっている。
【先行技術文献】
【特許文献】
【０００３】
【特許文献１】特許第３４３４６５６号公報
【発明の概要】
【発明が解決しようとする課題】
【０００４】
しかしながら、このような苗箱収納棚にあっては、外枠となる平面視長方形状の四隅に位置する４本の縦桟のうち、前後方向の２本の縦桟の対向面が多数本の横桟で連結固定され、左右幅方向の中間位置を含めた３本の縦桟の上下端部が連結部材でそれぞれ連結される構造であるため、四隅の縦桟で形成される枠の強度を十分に高めることが難しい。すなわち、横桟と連結部材で四隅の縦桟の前後方向と左右幅方向の強度は所定に確保できるものの、対角線方向において縦桟がフリーな状態であることから、例えば上下方向に多数形成された棚部に、比較的重量のある稲用の苗箱等が多数収納された場合に、その重量で苗箱収納棚の中央部分が沈んで、四隅の縦桟が垂直状態を維持できず内側に傾いたり捻れる等の変形をして、四隅の縦桟が平面視で長方形状を維持できない場合がある。
【０００５】
特に、二列の棚部に収納される苗箱の数が均等でなかった場合等に変形が発生し易く、結果として、対向する一対の翼板の高さや間隔が微妙に変化して、苗箱の棚部へのスムーズな出し入れ作業が難しくなる。また、この種の苗箱収納棚は、左右端部及びその中間の３組の前後一対の縦桟と、この縦桟間に固定される横桟及び翼板を予め工場で溶接固定することにより、一対の外桟ユニットと内桟ユニットの３つのユニットとして出荷されて、現場で組み立てる構成が採用されていることから、前述したような不都合が生じ易く、その改善が望まれている。
【０００６】
本発明は、このような事情に鑑みてなされたもので、その目的は、簡易な構成により外枠を形成する縦桟の変形を防止して平面視形状を確実に維持でき、棚部内への苗箱の出し入作業をスムーズに行い得る苗箱収納棚を提供することにある。また、他の目的は、前記目的に加え、縦桟と横桟及び翼板がユニット化される場合であっても、組み立て後の四隅の縦桟の平面視形状を簡単かつ確実に維持し得る苗箱収納棚を提供することにある。
【課題を解決するための手段】
【０００７】
かかる目的を達成すべく、本発明のうち請求項１に記載の発明は、少なくとも平面視で方形状の四隅に垂直状態でそれぞれ立設された縦桟と、該縦桟の苗箱の出し入れ方向である前後方向の対向面にその端部が固定された横桟と、前記縦桟のうち前後方向と直交する左右幅方向の縦桟の上下端部をそれぞれ連結する連結部材と、前記縦桟及びまたは横桟の左右幅方向の対向面側にそれぞれ固定されて前記苗箱の底面両端部が載置可能な棚部を形成する長尺状の翼板と、前記縦桟のうち略対角線上に位置する少なくとも一対の縦桟の上端部分を連結する補強部材と、を備えることを特徴とする。
【０００８】
また、請求項２に記載の発明は、前記補強部材が、前記縦桟の上端部分に固定した嵌合部材に着脱可能に嵌合することを特徴とする。また、請求項３に記載の発明は、前記縦桟と横桟及び翼板がアルミニウム材で形成されると共に、前記前後方向一対の縦桟とこれに対応した横桟及び翼板が、予め溶接固定されることにより一体化されてユニット化され、該ユニットの所定の縦桟の上端部分に前記嵌合部材が溶接固定されていることを特徴とする。
【発明の効果】
【０００９】
本発明のうち請求項１に記載の発明によれば、少なくとも平面視で方形状の四隅に立設された縦桟のうち、略対角線上に位置する少なくとも一対の縦桟の上端部分を連結する補強部材を備えるため、補強部材で連結するという簡易な構成により、該補強部材で対角線方向の強度を高めて、外枠を形成する縦桟の変形を防止して平面視形状を確実に維持でき、棚部内への苗箱の出し入作業をスムーズに行うことができる。
【００１０】
また、請求項２に記載の発明によれば、請求項１に記載の発明の効果に加え、補強部材が縦桟の上端部分に固定した嵌合部材に着脱可能に嵌合するため、補強部材の取り付けや取り外しを簡単に行うことができて、例えば現場で組み立て方式の苗箱収納棚にも簡単に取り付けできる等、苗箱収納棚の形態に応じた補強部材の使用が可能になる。
【００１１】
また、請求項３に記載の発明によれば、請求項１または２に記載の発明の効果に加え、縦桟と横桟及び翼板がアルミニウム材で形成されると共に、これらが予め溶接固定されることにより一体化されてユニット化され、このユニットの所定の縦桟の上端部分に嵌合部材が溶接固定されているため、各部材の軽量化を図りつつ、予め工場で各部材を固定してユニットとした状態で出荷でき、運搬や現場での組み立て作業等の作業性を向上させることができると共に、組み立て後の縦桟の平面視形状を簡単かつ確実に維持することができる。
【図面の簡単な説明】
【００１２】
【図１】本発明に係わる苗箱収納棚の一実施形態を示す斜視図
【図２】同その概略平面図
【図３】同図１の要部の拡大斜視図
【図４】同要部の縦断面図
【図５】同補強部材の取り付け箇所の変形例を示す図２と同様の概略平面図
【発明を実施するための形態】
【００１３】
以下、本発明を実施するための形態を図面に基づいて詳細に説明する。
図１〜図４は、本発明に係わる苗箱収納棚の一実施形態を示している。図１に示すように、苗箱収納棚１は、左右幅方向イの両端部に配置された左右一対の外桟ユニット２と、この各外桟ユニット２間の中間位置に配置された内桟ユニット３と、一対の外桟ユニット２と内桟ユニット３の前後方向ロの両端の上下端部をそれぞれ連結する一対２組、合計４本の連結部材４等を備えている。
【００１４】
前記左右一対の外桟ユニット２は、左右対称形状に形成され、前後方向ロの端部に垂直状態で立設された前後一対の縦桟２ａと、この縦桟２ａの前後方向ロの対向面間に、その両端部が上下方向に所定（一定）間隔で溶接固定された複数本の横桟２ｂと、この横桟２ｂの左右幅方向イの一方の対向面側に溶接固定された翼板５を有している。
【００１５】
また、この各外桟ユニット２の一方の縦桟２ａの上端部には、嵌合部材６が溶接固定されている。この嵌合部材６は、図３及び図４に示すように、アルミニウム製の丸パイプで内部に嵌合孔６ａが形成され、この嵌合孔６ａの上面が開口し、嵌合孔６ａの下端が直下の横桟２ｂの上面に当接した状態で、その外周面の一部が縦桟２ａの対向面に溶接固定されている。また、図３に示すように、嵌合部材６の半固定側の外周面には、図示しない穴が形成されると共に、この穴部分の外周面にナット７が固定され、このナット７に蝶ボルト８が螺合可能に配設されている。この蝶ボルト８を回転させて押し込むことにより、その先端が前記穴から嵌合孔６ａ内に突出して、後述する補強部材１０の嵌合部１０ａを押圧固定するようになっている。
【００１６】
そして、この一対の外桟ユニット２の嵌合部材６は、後述する如く苗箱収納棚１が組み立てられた際に、図１及び図２に示すように、四隅の縦桟２ａの対角線上に位置する如く設定されて、この嵌合部材６の嵌合孔６ａに前記補強部材１０の嵌合部１０ａが図３及び図４に示すように、上方から嵌合されるようになっている。すなわち、補給部材１０は、前記対角線の長さに略対応した所定長さのアルミニウム製の丸パイプからなり、その両端部に、下方に直角状態で延設された所定長さの嵌合部１０ａがそれぞれ一体的に設けられている。そして、この両端の嵌合部１０ａが、縦桟２ａの嵌合部材６の嵌合孔６ａに上方から嵌合され、蝶ボルト８を締め付けることで嵌合状態が維持されるようになっている。
【００１７】
このとき、嵌合部材６の嵌合孔６ａに嵌合される補強部材１０の嵌合部１０ａの下端は、図４に示すように、直下の横桟２ｂ上面に当接して位置決めされ、この位置決め状態で、補強部材１０の上面が縦桟２ａの上端から上方に突出しないようになっている。なお、補強部材１０は、蝶ボルト８を緩めて、補強部材１０を上方に引っ張ることにより、その嵌合部１０ａが図４の矢印ハの如く嵌合部材６の嵌合孔６ａから引き抜かれる、すなわち補強部材１０は、嵌合部材６に対して着脱可能となっている。
【００１８】
前記内桟ユニット３は、図１に示すように、外桟ユニット２と同一高さの前後一対の縦桟３ａと、この縦桟３ａの前後方向ロの対向面に溶接固定された複数本の横桟３ｂと、この横桟３ｂの左右幅方向イの両対向面側にそれぞれ溶接固定された翼板５を有している。なお、前記縦桟２ａ、３ａ及び横桟２ｂ、３ｂは、例えばアルミニウム材の押し出し成型により所定の外形形状（長方形状もしくは正方形状）の角パイプにより形成され、横桟２ｂ、３ｂは縦桟２ａ、３ａよりその外形が小さくなるように設定されている。
【００１９】
そして、前後一対の外桟ユニット２の中間部分に内桟ユニット３が位置し、外桟ユニット２の翼板５が内側である内桟ユニット３側に位置する状態で、外桟ユニット２と内桟ユニット３の前後の上下端部が後述する如く前記連結部材４でそれぞれ連結されることにより、苗箱収納棚１の外形形状が直方体形状の略格子状に形成されている。つまり、左右一対の外桟ユニット２の４本の縦桟２ａが平面視で長方形状の四隅に立設された状態となっている。
【００２０】
また、外桟ユニット２と内桟ユニット３の対向する横桟２ｂ、３ｂの対向面に固定された前記翼板５により、該翼板５上に苗箱が収納可能な棚部９（図１参照）が左右幅方向イに二列状態で多数形成されている。なお、左右幅方向イの各縦桟２ａ、３ａ間の上下の連結部材４の中間位置には、アルミニウム製もしくは鉄鋼製の苗箱脱落防止棒１１（図１参照）が差し込み及び取り外し可能に装着されている。
【００２１】
前記横桟２ｂ、３ｂに固定される翼板５は、アルミニウム材の押し出し成型により、横桟２ｂ、３ｂの長さと略同一長さで所定幅の長尺形状に形成されて、垂直な固定部と、水平状態に延設された載置部を有して断面略Ｌ次形状に形成されている。そして、この平板状の固定部が各横桟２ｂ、３ｂや縦桟２ａ、３ａに溶接固定され、苗箱の底面両端部が載置される所定幅を有する載置部が、苗箱の底面両端部と略線接触状態となるように断面波形形状に形成されるか、あるいは面接触となるように平板状に形成されている。なお、翼板５の幅は、苗箱収納棚１に収納される稲用とか野菜用とかの苗箱の形態に応じて所定に設定されると共に、前記棚部９の幅や高さ、すなわち各横桟２ｂ、３ｂ間の間隔等も、収納する苗箱の形態に対応するように設定されている。
【００２２】
このように構成された苗箱収納棚１は、一対の外桟ユニット２及び内桟ユニット３が、収納する苗箱の数に応じた形状で、予め工場で溶接固定等により組み付けられて一体化されてユニット化されると共に、４本の連結部材４及び該連結部材４を各ユニット２、３に固定するための連結板１３やボルト、両端に嵌合部１０ａが一体形成された補強部材１０、苗箱脱落防止棒１１及び該脱落防止棒１１の安易な抜けを防止するスナップピン、組み立て用の工具等の各部材等と共にセット部品として出荷される。
【００２３】
そして、ユーザーは、これらのセット部品を作業現場で組み立てることで苗箱収納棚１が完成して使用状態とされる。この組み立ては、先ず、一対の外桟ユニット２と内桟ユニット３の下端部と上端部を連結部材４で連結して枠を組み立てる。このとき、各連結部材４は、その両端部が各縦桟２ａ、３ａの上端に固定した連結ブロック１２（図３参照）の外面側に、連結板１３を介してボルトで固定することにより、３本の縦桟２ａ、３ａの上下端部が連結固定される。
【００２４】
枠が組み立てられたら、この枠の上面側の対角線上の嵌合部材６の嵌合孔６ａに、補強部材１０の嵌合部１０ａを上方から差し込んで嵌合させ、蝶ボルト８を締め付ける。これにより、苗箱収納棚１の組み立てが完了する。つまり、３つの桟ユニット２、３の上下端部を４本の連結部材４で固定し、対角線上の嵌合部材６に補強部材１０の嵌合部１０ａを嵌合させて蝶ボルト８を締め付けるだけで、苗箱収納棚１を組み立てることができ、部材の軽量化を利用しつつ、組み立て作業が極めて簡単に行えることになる。
【００２５】
そして、組み立てられた苗箱収納棚１は、軽トラック等の荷台上に搭載され、温室等で育成された稲用の苗箱や各種野菜用の苗箱が、該苗箱の形態に応じて横向きや縦向きで苗箱収納棚１の各棚部９に、苗箱の出し入れ方向である前後方向ロから収納されて、田圃や畑に運搬される。この苗箱の苗箱収納棚１への収納作業は、作業者が苗箱を棚部９内に押し込むことで、苗箱の底面両端部を棚部９の翼板５の載置部上でスライド移動させつつ行うことができる。
【００２６】
この多数の苗箱の収納状態において、苗箱収納棚１は、苗箱の重量が翼板５を介して横桟２ｂや縦桟２ａに荷重として加わり、縦桟２ａが内側である内桟ユニット３方向に傾く力や捻れる力が作用して、縦桟２ａ自体が垂直位置から変形しようとする。しかし、前記苗箱収納棚１の場合、四隅の縦桟２ａのうち対角線上に位置する２本の縦桟２ａの上端部が、補強部材１０によって連結されていることから、この補強部材１０が縦桟２ａに加わる傾き力や捻れ力に対抗して、縦桟２ａの垂直状態の維持、すなわち縦桟２ａの変形を防止できることになる。
【００２７】
なお、苗箱を棚部９から取り出す場合も収納する場合と同様に、各苗箱を翼板５の載置部上でスライド移動させることで行うことができる。また、苗箱収納棚１を軽トラックで運搬する場合は、前記苗箱脱落防止棒１１を取り付けることで、苗箱の棚部９からの飛び出し（脱落）を防止することができる。つまり、前記補強部材１０を使用した苗箱収納棚１は、補強部材１０で長方形状の四隅の対角線上に位置する縦桟２ａを連結することで、４本の縦桟２ａによる長方形状の変形、つまり各縦桟２ａの変形を防止できて、棚部９の形状を安定化させて、棚部９に対する苗箱の出し入れがスムーズに行えることになる。
【００２８】
このように、前記苗箱収納棚１によれば、平面視で長方形状の四隅に配置された縦桟２ａのうち、対角線上に位置する一対の縦桟２ａの上端部が補強部材１０で連結されているため、連結部材１０で対角線方向の強度等を高めることができて、補強部材１０で連結するという簡易な構成で、外枠を形成する縦桟ユニット２の変形を防止して、苗箱収納棚１の平面視形状、すなわち縦桟２ａの垂直状態を確実に維持でき、棚部９内への苗箱の出し入作業をスムーズに行うことができる。
【００２９】
特に、収納される苗箱が例えば稲用の苗箱のように、箱内部の全域に土が収容されると共に多数本の苗が育成されて重量が重い苗箱であっても、あるいは二列の棚部９を有して段数が多い場合等で、各列の棚部９への苗箱の収納個数が異なり重量的にバランスがとれていない場合であっても、これらの苗箱による縦桟２ａの変形（つまり棚部９の変形）を防止できて、各棚部９への苗箱の出し入れ作業を一層スムーズに行うことが可能になる。
【００３０】
また、補強部材１０の嵌合部１０ａが縦桟２ａの上端部に固定した嵌合部材６に着脱可能に嵌合するため、補強部材１０の取り付けや取り外しを簡単に行うことができて、苗箱収納棚１の形態に応じて補強部材１０を使用できる等、苗箱収納棚１の使い勝手を向上させることが可能になる。また、補強部材１０の両端の嵌合部１０ａの下端が横桟２ｂの上面に当接した状態となっているため、補強部材１０の嵌合部１０ａの長さを所定に設定することにより、補強部材１０と嵌合部材６の位置決めを確実に行い、安定した嵌合状態（補強部材１０の取り付け状態）を得ることができると共に、補強部材１０の苗箱収納棚１の上面からの突出を抑えて、安全性や意匠面で優れた苗箱収納棚１を提供することが可能になる。
【００３１】
さらに、外桟ユニット２や内桟ユニット３の縦桟２ａ、３ａや横桟２ｂ、３ｂ、翼板５及び補強部材１０等がアルミニウム材の押し出し成型により形成されると共に、縦桟２ａ、３ａと横桟２ｂ、３ｂ及び翼板５がそれぞれ溶接固定されて予めユニット化されているため、苗箱収納棚１の軽量化を図りつつ部材数を低減して、例えば現場への運搬や現場での組み立て等の作業を容易に行うことができる。また、ユニット化された外桟ユニット２や内桟ユニット３であっても、補強部材１０の取り付けにより、その組み立て後の縦桟２ａの平面視形状、すなわち苗箱収納棚１の平面視形状を所定形状に簡単かつ確実に維持することができて、該収納棚１の長期に亘る安定した使用が可能になる。
【００３２】
図５は、本発明に係わる補強部材の取り付け形態の変形例を示している。以下、前記実施形態と同一部位には、同一符号を付して説明する。先ず、図５（ａ）に示すものは、交差する対角線上に２本の補強部材１０を着脱可能に取り付けるようにしたものである。この場合、２本の補強部材１０は、その交点部１４を互いに回転可能とすることで、折り畳み可能として、運搬時等の容易化を図るようにしても良いし、別体の補強部材１０を使用しても良い。この変形例は、前記実施形態のように、桟ユニット２、３が３つの場合でも、一対の外桟ユニット２だけの場合であっても適用できて、四隅の縦桟２ａの変形をより確実に防止することができる。
【００３３】
また、図５（ｂ）に示すものは、前記実施形態において、内桟ユニット３の縦桟３ａと一対の外桟ユニット２の縦桟２ａの対角線上に２本の補強部材１０を着脱可能に取り付けるようにしたものである。また、図５（ｃ）に示すものは、前記実施形態において、内桟ユニット３の縦桟３ａと一対の外桟ユニット２の縦桟２ａの交差する対角線上に２本の補強部材１０（すなわち合計４本の補強部材１０）をそれぞれ交差状態で着脱可能に取り付けるようにしたものである。これらの変形例においても、２本以上の補強部材１０により各縦桟２ａの変形をより確実に防止することができる。
【００３４】
また、前記実施形態においては、嵌合部材６を縦桟２ａの上端部に固定することで、補強部材１０を、平面視長方形状の完全対角線上の位置に配置したが、例えば図２の二点鎖線で示すように、縦桟２ａから所定距離離れた連結部材４の長手方向端部（この連結部材４の長手方向の端部と、前記縦桟２ａの上端部を含めて縦桟２ａの上端部分という）に配置することで略対角線上とすることもできる。この場合は、連結部材４の長手方向端部の所定位置に前記嵌合部材６を予め固定し、この嵌合部材６に前記補強部材１０を嵌合させれば良い。
【００３５】
なお、前記実施形態においては、苗箱収納棚１が、一対の外桟ユニット２とこの外桟ユニット２間に配置される内桟ユニット３の合計３つの桟ユニット２、３を有して、二列の棚部９を形成する構成としたが、本発明はこの構成に限定されず、例えば一対の外桟ユニット２のみで一列の棚部９を形成する構成としたり、内桟ユニット３を２つ設けて、三列の棚部９を形成する構成としても良い。また、前記実施形態においては、補強部材１０を外桟ユニット２の所定の縦桟２ａに着脱可能としたが、例えば縦桟２ａ、３ａや横桟２ｂ、３ｂが工場で予め平面視で長方形状に組み立てられる場合は、補強部材１０自体を工場等で所定位置に予め溶接固定することもできる。
【００３６】
さらに、前記実施形態における、補強部材１０の形状や嵌合部材６への嵌合構造、苗箱収納棚１の平面視形状、縦桟２ａ、３ａや横桟２ｂ、３ｂの数や形状、外桟ユニット２と内桟ユニット３の上下端部の連結構造等も一例であって、例えば補強部材１０を角パイプあるいは棒状として、所定形状の嵌合部材に嵌合可能としたり、苗箱収納棚１の平面視形状を方形状とする等、本発明に係わる各発明の要旨を逸脱しない範囲において適宜の構成を採用することができる。
【産業上の利用可能性】
【００３７】
本発明は、軽トラック等のトラックの荷台上に搭載されて苗が育成された苗箱を田圃や畑に移動する際に使用される苗箱収納棚に限らず、例えば苗箱を温室内等で保管したり苗を育成する際等に使用される各種の苗箱収納棚にも利用できる。
【符号の説明】
【００３８】
１・・・・・・・苗箱収納棚
２・・・・・・・外桟ユニット
２ａ・・・・・・縦桟
２ｂ・・・・・・横桟
３・・・・・・・内桟ユニット
３ａ・・・・・・縦桟
３ｂ・・・・・・横桟
４・・  ・・・・連結部材
５・・・・・・・翼板
６・・・・・・・嵌合部材
６ａ・・・・・・嵌合孔
７・・・・・・・ナット
８・・・・・・・蝶ボルト
９・・・・・・・棚部
１０・・・・・・補強部材
１０ａ・・・・・嵌合部
１１・・・・・・苗箱脱落防止棒
１２・・・・・・連結ブロック
１３・・・・・・連結板
１４・・・・・・交差部
【図１】
2013094070.tif 000003
【図２】
2013094070.tif 000004
【図３】
2013094070.tif 000005
【図４】
2013094070.tif 000006
【図５】
2013094070.tif 000007